(57)【要約】【課題】動画像のなかの所望の１シーンとしての静止画像を、容易に記録することができるようにする。【解決手段】  画像加工デバイス１５および１６は、画像信号に対して、画質を改善する画像処理を施し、表示用の表示画像を画像重畳デバイス１７に供給する。画像重畳デバイス１７は、画像加工デバイス１６から供給される表示画像から、複数の静止画像を含む合成画像を生成する。静止画像記録部２２は、合成画像の複数の静止画像のなかから、ユーザが矢印ボタン３１を操作してカーソルを移動させることにより選択された静止画像を記録媒体２２Aに記録する。本発明は、例えば、テレビジョン受像機に適用できる。【選択図】図１
2005351923.tif 000002
【特許請求の範囲】
【請求項１】
入力される画像信号を処理する画像処理装置において、
前記画像信号に対して、画質を改善する画像処理を施し、表示用の表示画像を出力する画像処理手段と、
前記表示画像から、複数の静止画像を含む合成画像を生成する生成手段と、
前記合成画像の前記複数の静止画像のなかから、所望の静止画像を選択する選択手段と、
前記選択手段により選択された静止画像か、または、選択された静止画像に対応する、前記画像処理手段が出力する直接の前記表示画像を記録する記録手段と
を備えることを特徴とする画像処理装置。
【請求項２】
前記生成手段は、ユーザの操作に対応して、前記表示画像から、前記合成画像を生成する
ことを特徴とする請求項１に記載の画像処理装置。
【請求項３】
前記複数の静止画像は、時系列の前記表示画像である
ことを特徴とする請求項１に記載の画像処理装置。
【請求項４】
放送信号を受信し、前記画像信号を出力する受信手段をさらに備え、
前記複数の静止画像は、前記放送信号の異なるチャンネルの画像である
ことを特徴とする請求項１に記載の画像処理装置。
【請求項５】
前記受信手段が出力した前記画像信号を前記画像処理手段で画像処理して得られる前記表示画像は、画像を表示する表示装置において表示され、
ユーザの操作に対応して、前記表示装置に表示された前記表示画像から、前記静止画像を決定する決定手段をさらに備える
ことを特徴とする請求項４に記載の画像処理装置。
【請求項６】
前記表示装置において、前記受信手段が出力した前記画像信号を前記画像処理手段で画像処理して得られる前記表示画像は、前記合成画像の一部の領域に表示され、前記決定手段によって決定された前記静止画像は、前記合成画像の他の一部の領域に表示される
ことを特徴とする請求項５に記載の画像処理装置。
【請求項７】
入力される画像信号を処理する画像処理方法において、
前記画像信号に対して、画質を改善する画像処理を施し、表示用の表示画像を出力する画像処理ステップと、
前記表示画像から、複数の静止画像を含む合成画像を生成する生成ステップと、
前記合成画像の前記複数の静止画像のなかから、所望の静止画像を選択する選択ステップと、
前記選択ステップの処理により選択された静止画像か、または、選択された静止画像に対応する、前記画像処理ステップの処理が出力する直接の前記表示画像を記録する記録ステップと
を含むことを特徴とする画像処理方法。
【請求項８】
入力される画像信号を処理する画像処理のプログラムであって、
前記画像信号に対して、画質を改善する画像処理を施し、表示用の表示画像を出力する画像処理ステップと、
前記表示画像から、複数の静止画像を含む合成画像を生成する生成ステップと、
前記合成画像の前記複数の静止画像のなかから、所望の静止画像を選択する選択ステップと、
前記選択ステップの処理により選択された静止画像か、または、選択された静止画像に対応する、前記画像処理ステップの処理が出力する直接の前記表示画像を記録する記録ステップと
を含むことを特徴とするコンピュータが読み取り可能なプログラムが記録されている記録媒体。
【請求項９】
入力される画像信号を処理する画像処理のプログラムにおいて、
前記画像信号に対して、画質を改善する画像処理を施し、表示用の表示画像を出力する画像処理ステップと、
前記表示画像から、複数の静止画像を含む合成画像を生成する生成ステップと、
前記合成画像の前記複数の静止画像のなかから、所望の静止画像を選択する選択ステップと、
前記選択ステップの処理により選択された静止画像か、または、選択された静止画像に対応する、前記画像処理ステップの処理が出力する直接の前記表示画像を記録する記録ステップと
を含む処理をコンピュータに実行させることを特徴とするプログラム。
【発明の詳細な説明】
【技術分野】
【０００１】
本発明は、画像処理装置および方法、記録媒体、並びにプログラムに関し、特に、動画像のなかの所望の１シーンとしての静止画像を、容易に記録する画像処理装置および方法、記録媒体、並びにプログラムに関する。
【背景技術】
【０００２】
チューナが受信した画像信号や、入力端子から入力された画像信号から得られる動画像の所望の１シーン（フレームまたはフィールド）を、静止画像として記録媒体に記録する記録装置を備えたTV受像機（テレビジョン受像機）がある。
【０００３】
ユーザは、TV受像機のディスプレイに表示されている動画像のなかで、所望のシーンとなったときに、リモートコントローラ等を操作することにより、記録指令をTV受像機に与える。TV受像機の記録装置は、ユーザの操作に対応して送信されてくるリモートコントローラからの記録指令にしたがい、動画像の１シーンを静止画像として記録媒体に記録する。
【０００４】
ここで、チューナが受信した画像信号や、入力端子から入力される画像信号から得られる動画像には、例えば、４８０ｉ（有効走査線数４８０本のインタレース方式）や１０８０ｉ（有効走査線数１０８０本のインタレース方式）などのように、各種のフォーマットがあり、そのフォーマットに対応して静止画像の解像度も異なる。例えば、動画像のフォーマットが４８０ｉである場合の静止画像の解像度（画素数）は、７２０×４８０画素（横×縦）となり、動画像のフォーマットが１０８０iである場合の静止画像の解像度は、１９２０×１０８０画素となる。従って、TV受像機の記録装置に、所定の一定の解像度の静止画像を記録するためには、所定の一定の解像度の静止画像に変換する機能が必要となる。
【０００５】
また、従来の上述したTV受像機では、記録装置で記録された静止画像が、ディスプレイに表示された動画像の１シーンとしての画像と異なることがあった。これは、ディスプレイに出力される画像信号と、記録装置に供給される画像信号とが、TV受像機内において、同一の画像処理ルート(画像処理デバイス)を通った信号ではなく、別々の画像処理ルートを持つことによる。
【０００６】
即ち、記録装置を備えるTV受像機は、画質の改善のための画像処理である、例えば、インタレース画像からプログレッシブ画像への変換などの処理を行う画像処理デバイスなどを備えることが多い。かかる画像処理デバイスを備えるTV受像機では、チューナが受信した画像信号から得られる、上述したような４８０ｉや１０８０ｉなどのインタレース画像が、画像処理デバイスにおいてプログレッシブ画像に変換されて表示される。しかしながら、記録装置で記録される画像は、チューナが受信した画像信号から得られる４８０ｉや１０８０ｉのインタレース画像であったため、TV受像機で表示される、ユーザが目にする画像と、記録装置に記録される画像とに、画質の差が生じることがあった。
【０００７】
そこで、TV受像機のディスプレイに表示される画像の画像信号と同一の画像信号を、記録装置に記録する方法がある。しかしながら、TV受像機のディスプレイに表示される画像には、現在選局されているチャンネルなどのステータスがOSD（On Screen Display）表示によって重畳されることがあり、かかるOSD表示が重畳された画像は、記録装置での記録に適したものとは言えない。
【０００８】
この問題に対して、特許文献１では、NTSC(National Television System Committee)円コーダの出力を、録画用信号とモニタ用信号とし、かつ、モニタ用信号にのみOSD表示を重畳するディジタルテレビジョン受信機が提案されている。
【０００９】
【特許文献１】特開平１０−３３６６０３号公報
【発明の開示】
【発明が解決しようとする課題】
【００１０】
ところで、ディスプレイに表示されている動画像のなかの所望の１シーンを、静止画像として所定の記録媒体に記録（保存）する場合、ユーザは、上述したように、リモートコントローラ等を用いて記録指令をTV受像機に送信させるが、その記録指令により記録された静止画像に対して、本当は、記録指令を送信したタイミングよりも少し前のタイミングの静止画像を記録するべきだったとか、記録指令を送信したタイミングよりも少し後に、さらに良い動画像がディスプレイに表示され、その動画像を静止画像として記録することが望ましかったなどということがある。
【００１１】
本発明は、このような状況に鑑みてなされたものであり、動画像のなかの所望の１シーンとしての静止画像を、容易に記録することができるようにするものである。
【課題を解決するための手段】
【００１２】
本発明の画像処理装置は、画像信号に対して、画質を改善する画像処理を施し、表示用の表示画像を出力する画像処理手段と、表示画像から、複数の静止画像を含む合成画像を生成する生成手段と、合成画像の複数の静止画像のなかから、所望の静止画像を選択する選択手段と、選択手段により選択された静止画像か、または、選択された静止画像に対応する、画像処理手段が出力する直接の表示画像を記録する記録手段とを備えることを特徴とする。
【００１３】
生成手段には、ユーザの操作に対応して、表示画像から、合成画像を生成させることができる。
【００１４】
複数の静止画像は、時系列の表示画像とすることができる。
【００１５】
放送信号を受信し、画像信号を出力する受信手段をさらに設け、複数の静止画像は、放送信号の異なるチャンネルの画像とすることができる。
【００１６】
受信手段が出力した画像信号を画像処理手段で画像処理して得られる表示画像は、画像を表示する表示装置において表示され、ユーザの操作に対応して、表示装置に表示された表示画像から、静止画像を決定する決定手段をさらに設けることができる。
【００１７】
表示装置において、受信手段が出力した画像信号を画像処理手段で画像処理して得られる表示画像は、合成画像の一部の領域に表示され、決定手段によって決定された静止画像は、合成画像の他の一部の領域に表示されるようにさせることができる。
【００１８】
本発明の画像処理方法は、画像信号に対して、画質を改善する画像処理を施し、表示用の表示画像を出力する画像処理ステップと、表示画像から、複数の静止画像を含む合成画像を生成する生成ステップと、合成画像の複数の静止画像のなかから、所望の静止画像を選択する選択ステップと、選択ステップの処理により選択された静止画像か、または、選択された静止画像に対応する、画像処理ステップの処理が出力する直接の表示画像を記録する記録ステップとを含むことを特徴とする。
【００１９】
本発明の記録媒体に記録されているプログラムは、画像信号に対して、画質を改善する画像処理を施し、表示用の表示画像を出力する画像処理ステップと、表示画像から、複数の静止画像を含む合成画像を生成する生成ステップと、合成画像の複数の静止画像のなかから、所望の静止画像を選択する選択ステップと、選択ステップの処理により選択された静止画像か、または、選択された静止画像に対応する、画像処理ステップの処理が出力する直接の表示画像を記録する記録ステップとを含むことを特徴とする。
【００２０】
本発明のプログラムは、画像信号に対して、画質を改善する画像処理を施し、表示用の表示画像を出力する画像処理ステップと、表示画像から、複数の静止画像を含む合成画像を生成する生成ステップと、合成画像の複数の静止画像のなかから、所望の静止画像を選択する選択ステップと、選択ステップの処理により選択された静止画像か、または、選択された静止画像に対応する、画像処理ステップの処理が出力する直接の表示画像を記録する記録ステップとを含む処理をコンピュータに実行させることを特徴とする。
【００２１】
本発明においては、画像信号に対して、画質を改善する画像処理が施され、表示用の表示画像が出力される。また、表示画像から、複数の静止画像を含む合成画像が生成され、その合成画像の複数の静止画像のなかから、所望の静止画像が選択される。そして、選択された静止画像か、または、選択された静止画像に対応する直接の表示画像が記録される。
【発明の効果】
【００２２】
本発明によれば、動画像のなかの所望の１シーンとしての静止画像を、容易に記録することができる。
【発明を実施するための最良の形態】
【００２３】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２４】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加される発明の存在を否定するものではない。
【００２５】
請求項１に記載の画像処理装置は、
入力される画像信号を処理する画像処理装置（例えば、図１のテレビジョン受像機１）において、
前記画像信号に対して、画質を改善する画像処理を施し、表示用の表示画像を出力する画像処理手段（例えば、図１の画像加工デバイス１６）と、
前記表示画像から、複数の静止画像を含む合成画像を生成する生成手段（例えば、図１の画像重畳デバイス１７）と、
前記合成画像の前記複数の静止画像のなかから、所望の静止画像を選択する選択手段（例えば、図１の矢印ボタン３１）と、
前記選択手段により選択された静止画像か、または、選択された静止画像に対応する、前記画像処理手段が出力する直接の前記表示画像を記録する記録手段（例えば、図１の静止画像記録部２２）と
を備えることを特徴とする。
【００２６】
請求項４に記載の画像処理装置は、
放送信号を受信し、前記画像信号を出力する受信手段（例えば、図１のチューナ１２）をさらに備え、
前記複数の静止画像は、前記放送信号の異なるチャンネルの画像である
ことを特徴とする。
【００２７】
請求項５に記載の画像処理装置は、
前記受信手段が出力した前記画像信号を前記画像処理手段で画像処理して得られる前記表示画像は、画像を表示する表示装置において表示され、
ユーザの操作に対応して、前記表示装置に表示された前記表示画像から、前記静止画像を決定する決定手段（例えば、図１の決定ボタン３３）をさらに備える
ことを特徴とする。
【００２８】
請求項７に記載の画像処理方法は、
入力される画像信号を処理する画像処理方法において、
前記画像信号に対して、画質を改善する画像処理を施し、表示用の表示画像を出力する画像処理ステップ（例えば、図５のステップＳ１）と、
前記表示画像から、複数の静止画像を含む合成画像を生成する生成ステップ（例えば、図９のステップＳ３５）と、
前記合成画像の前記複数の静止画像のなかから、所望の静止画像を選択する選択ステップ（例えば、図９のステップＳ４２）と、
前記選択ステップの処理により選択された静止画像か、または、選択された静止画像に対応する、前記画像処理ステップの処理が出力する直接の前記表示画像を記録する記録ステップ（例えば、図９のステップＳ４３）と
を含むことを特徴とする。
【００２９】
請求項８に記載の記録媒体のプログラム、請求項９に記載のプログラムの各ステップの具体例も、請求項７に記載の画像処理方法の各ステップの発明の実施の形態における具体例と同様である。
【００３０】
以下、図を参照して、本発明の実施の形態について説明する。
【００３１】
図１は、本発明を適用したテレビジョン受像機の一実施の形態の構成例を示している。
【００３２】
図１のテレビジョン受像機１には、画像データと音声データの両方を含む信号が入力される。しかしながら、本実施の形態では、テレビジョン受像機１の画像データに対する処理を説明するため、以下では、入力される信号を画像信号として説明する。従って、音声データについては説明を省略するが、テレビジョン受像機１において、入力された信号の音声データに対しては、必要に応じてA/D（Analog/Digital）変換等の所定の処理が行われ、図示せぬスピーカから出力されるようになっている。
【００３３】
図１のテレビジョン受像機１において、例えば、VTR（Video Tape Recorder）やDVD(Digital Versatile Disc)レコーダなどの他の装置から出力された画像信号が、入力端子１１を介して、入力選択デバイス１４に供給される。また、チューナ１２または１３それぞれは、図示せぬアンテナを介してディジタル放送の放送信号を受信し、マイコン（マイクロコンピュータ）２４の制御の下、所定のチャンネルのディジタル放送の画像信号を検波、復調し、入力選択デバイス１４に供給（出力）する。ここで、入力端子１１、チューナ１２、およびチューナ１３から入力選択デバイス１４に供給される画像信号は、例えば、３０枚／秒のフレームレートの動画像を構成する信号であるとする。なお、その他の任意のフレームレートであってもよい。
【００３４】
入力選択デバイス１４は、入力端子１１、チューナ１２、およびチューナ１３から供給される画像信号の中から、マイコン２４の制御の下、１つの画像信号を選択し、その選択した画像信号を画像加工デバイス１５に供給する。
【００３５】
また、後述する操作部２３において、ユーザにより2画面モードが選択され、その旨の信号がマイコン２４から入力選択デバイス１４に供給された場合、入力選択デバイス１４は、入力端子１１、チューナ１２、およびチューナ１３から供給される画像信号の中から、所定の２つの画像信号を選択し、選択した一方の画像信号を画像加工デバイス１５に、選択した他方の画像信号を画像加工デバイス１９に、それぞれ供給する。
【００３６】
なお、ここでは、具体例として、入力選択デバイス１４は、チューナ１２で選択された所定のチャンネル（以下、主チャンネルという）の画像信号を画像加工デバイス１５に供給し、チューナ１３で選択された、主チャンネルとは異なる所定のチャンネル（以下、副チャンネルという）の画像信号を画像加工デバイス１９に供給することとする。
【００３７】
画像加工デバイス１５は、入力選択デバイス１４から供給される主チャンネルの画像信号に、画質を改善する所定の画像処理（加工）を施し、画像加工デバイス１６に供給する。また、画像加工デバイス１６も、画像加工デバイス１５から供給される画像信号に、画質を改善する他の画像処理（加工）を施し、後段のディスプレイ４１に表示させる表示用の表示画像となる画像信号を画像重畳デバイス１７に供給（出力）する。
【００３８】
ここで、画像加工デバイス１５および１６それぞれが行う画像処理としては、例えば、A/D（Analog/Digital）変換処理、Y/C分離処理、色合いや明るさを調整する処理、解像度の変換処理、I/P変換（インタレース信号からプログレッシブ信号への変換）処理、または、高品質（高画質）の画像信号に変換するDRC（Digital Reality Creation）処理などから、１以上の処理を採用することができる。
【００３９】
例えば、画像加工デバイス１５は、入力選択デバイス１４から供給される主チャンネルの画像信号にA/D変換処理を行い、さらに、A/D変換処理後のアナログの画像信号に対してY/C分離を行う。そして、画像加工デバイス１６は、画像加工デバイス１５から供給されるY/C分離後の画像信号に対してDRC処理を行う。
【００４０】
一方、画像加工デバイス１９は、入力選択デバイス１４から供給される副チャンネルの画像信号に、画像加工デバイス１５と同様の処理を行い、画像加工デバイス２０に供給する。また、画像加工デバイス２０は、画像加工デバイス１９から供給される画像信号に、画像加工デバイス１６と同様の処理を行い、画像重畳デバイス１７に供給（出力）する。
【００４１】
即ち、入力選択デバイス１４から出力された主チャンネルと副チャンネルの２つの画像信号には、同一の処理が施され、その結果得られる主チャンネルと副チャンネルの２つの画像信号それぞれが、画像重畳デバイス１７に供給される。
【００４２】
画像重畳デバイス１７は、マイコン２４の制御の下、VRAM(Video Random Access Memory )１８への書き込み、またはVRAM１８からの読み出しを行うことにより、画像加工デバイス１６または２０から供給される動画像（の画像信号）を、画像重畳デバイス２１および静止画像記録部２２に供給する。
【００４３】
即ち、画像重畳デバイス１７は、画像加工デバイス１６または２０から３０枚／秒のフレームレートで供給される画像（信号）をVRAM１８に書き込み、VRAM１８に書き込まれている画像（信号）を読み出す動作を、順次繰り返すことによって、動画像を画像重畳デバイス２１および静止画像記録部２２に供給する。
【００４４】
なお、このVRAM１８への画像の書き込みおよび読み出しを行うタイミングレート（フレームレート）は、３０回／秒である。また、VRAM１８の記憶領域としては、ディスプレイ４１の表示領域に画像を表示させるのに等しい領域が確保されている。換言すれば、VRAM１８から読み出され、画像重畳デバイス１７から出力される画像は、ディスプレイ４１が表示する所定の解像度（フォーマット）に等しい。従って、入力端子１１、チューナ１２、およびチューナ１３から供給される画像信号のフォーマット（例えば、４８０ｉや１０８０ｉなど）が、それぞれ異なる場合であっても、画像重畳デバイス１７から出力される画像（信号）は、ディスプレイ４１が表示可能な所定の解像度となる。
【００４５】
ここで、画像重畳デバイス１７がVRAM１８への書き込みを中断した場合、画像重畳デバイス２１および静止画像記録部２２には、VRAM１８に書き込まれている同一の画像が繰り返し供給されることとなり、後述するディスプレイ４１では、VRAM１８に書き込まれている画像が、静止画像として表示される。即ち、画像重畳デバイス１７がVRAM１８への書き込みを中断した場合、ディスプレイ４１に表示される動画像が、フリーズされる。ユーザは、操作部２３の画面メモボタン３２を操作することにより、動画像のフリーズを行うことができる。
【００４６】
また、画像重畳デバイス１７では、上述したように、後段の画像重畳デバイス２１および静止画像記録部２２に供給される画像が、VRAM１８に書き込まれている画像を読み出した画像であることを利用して、複数の画像が合成された合成画像を生成し、画像重畳デバイス２１および静止画像記録部２２に供給することができる。
【００４７】
例えば、画像重畳デバイス１７は、画像加工デバイス１６から供給される主チャンネルの画像をVRAM１８の１画面分の領域全体に書き込み、さらに、画像加工デバイス２０から供給される副チャンネルの画像を所定のサイズに縮小させて、VRAM１８の１画面分の領域全体のなかの所定の一部の領域（副チャンネル領域）に書き込むようにする。そして、画像重畳デバイス１７が、３０枚／秒のフレームレートでVRAM１８からの読み出し、およびVRAM１８への書き込みを繰り返すことにより、ディスプレイ４１では、主チャンネルの画像の一部に副チャンネルの画像が表示されている、２画面の動画像が表示される。なお、この２つの動画像を一画面とする表示は、操作部２３の２画面モードボタン３５がユーザにより押下され、２画面モードが選択されたときに実行されるようになっている。ここで、２画面モードでは、ディスプレイ４１の表示領域全体に対する、主チャンネルの画像が表示される主チャンネル領域と、副チャンネルの画像が表示される副チャンネル領域の配置を決めた配置パターンを、上述したような、主チャンネル領域内の一部の領域を副チャンネル領域とする配置パターンの他、ディスプレイ４１の表示領域全体を主チャンネル領域と副チャンネル領域とで左右に２等分する配置パターン、ディスプレイ４１の表示領域全体を左右に大領域および小領域となるように２分割し、主チャンネル（副チャンネル）を大領域に、副チャンネル（主チャンネル）を小領域に配置する配置パターンなどの各種の配置パターンが表示可能である。
【００４８】
また、例えば、画像重畳デバイス１７は、画像加工デバイス１６から供給される主チャンネルの画像を所定のサイズに縮小させた縮小画像を、VRAM１８の１画面分の領域全体のなかの所定の一部の領域（動画像領域）に書き込むようにする。この場合、画像重畳デバイス１７が、３０回／秒のタイミングレートでVRAM１８からの読み出し、およびVRAM１８への書き込みを繰り返すことにより、ディスプレイ４１では、その表示領域のなかの所定の一部の領域（VRAM１８の動画像領域に対応する領域）に、主チャンネルの、縮小された動画像（以下、縮小動画像ともいう）が表示される。
【００４９】
さらに、画像重畳デバイス１７は、あるタイミングで、VRAM１８の動画像領域に書き込まれている縮小画像を、VRAM１８の動画像領域以外の他の第１の領域に書き込み、さらに所定時間経過後、VRAM１８の動画像領域に書き込まれている新たな縮小画像を、VRAM１８の動画像領域以外の他の第２の領域に書き込むようにする。そして、画像重畳デバイス１７が、３０回／秒のタイミングレートでVRAM１８からの読み出し、およびVRAM１８への書き込みを繰り返すことにより、ディスプレイ４１では、ディスプレイ４１の表示領域の、ある領域（VRAM１８の動画像領域に対応する領域）には、主チャンネルの縮小動画像が表示され、縮小動画像が表示されている領域と異なる第１の領域には、ある第１のタイミングでの縮小動画像（縮小画像）をフリーズさせた静止画像が表示され、縮小動画像が表示されている領域と異なる第２の領域には、ある第２のタイミングでの縮小動画像（縮小画像）をフリーズさせた静止画像が表示される。即ち、主チャンネルの縮小動画像と、その縮小動画像を所定のタイミングでフリーズさせた、複数の静止画像とを、ディスプレイ４１に同時に表示させることができる。なお、この縮小動画像と複数の静止画像を一画面とする表示は、操作部２３のインデックスモードボタン３６がユーザにより押下され、インデックスモードが選択されたときに実行されるようになっている。
【００５０】
VRAM１８は、複数の記憶バンクを有し、記憶バンクを切り替えることによって、画像重畳デバイス１７から供給される画像（データ）の読み出しおよび書き込みを同時に行うことができる。
【００５１】
画像重畳デバイス２１は、画像重畳デバイス１７から供給される画像（合成画像）に、マイコン２４から供給されたOSD信号から生成したOSD表示を重畳し、その結果得られる画像の信号をディスプレイ４１に供給する。ディスプレイ４１は、画像重畳デバイス２１から供給される信号に対応する画像を表示する。
【００５２】
静止画像記録部２２には、上述したように、３０枚／秒のフレームレートで画像重畳デバイス１７から画像（合成画像）が供給される。静止画像記録部２２は、画像を記録（保存）する旨の信号（指令）がマイコン２４から供給されると、そのタイミングで画像重畳デバイス１７から供給されている画像を、記録媒体２２Aに記録（保存）する。ここで、静止画像記録部２２は、画像重畳デバイス１７から供給される画像がインタレース画像である場合には、画像重畳デバイス１７から供給された、時系列に連続する２フィールドの画像を重ね合わせたプログレッシブ画像を記録媒体２２Aに記録し、画像重畳デバイス１７から供給される画像がプログレッシブ画像である場合には、静止画像記録部２２は、画像重畳デバイス１７から供給された、１枚のプログレッシブ画像をそのまま記録媒体２２Aに記録する。なお、記録媒体２２Aは、例えば、メモリスティック（商標）等の半導体メモリやハードディスクなどで構成することができ、また、テレビジョン受像機１に対して着脱可能とすることができる。
【００５３】
静止画像記録部２２に供給される画像は、OSD表示が重畳されていないことを除いて、ディスプレイ４１に表示される画像と同一の画像である。従って、静止画像記録部２２が記録媒体２２Aに記録する画像の解像度は、ディスプレイ４１でユーザが視認する解像度と同一となっている。
【００５４】
操作部２３は、矢印ボタン３１、画面メモボタン３２、決定ボタン３３、キャンセルボタン３４、２画面モードボタン３５、インデックスモードボタン３６などで構成され、ユーザの各種のボタン操作に応じた操作信号をマイコン２４に供給する。
【００５５】
矢印ボタン３１は、例えば、上（↑）、下（↓）、右（→）、および左（←）の４方向のボタンで構成され、複数の静止画像を含む合成画像がディスプレイ４１に表示されている状態において、複数の静止画像のなかから、所望の（１つの）静止画像を選択する場合に、選択を表すカーソルを移動させるときなどに、ユーザによって操作される。
【００５６】
画面メモボタン３２は、例えば、上述したように、ディスプレイ４１に表示されている動画像（縮小動画像）をフリーズさせるときにユーザによって操作される。
【００５７】
決定ボタン３３は、例えば、フリーズされてディスプレイ４１に表示されている静止画像の、記録媒体２２Aへの記録を実行するときにユーザによって操作される。
【００５８】
キャンセルボタン３４は、例えば、フリーズされてディスプレイ４１に表示されている静止画像の、記録媒体２２Aへの記録をキャンセルするときにユーザによって操作される。
【００５９】
２画面モードボタン３５は、例えば、ユーザが２画面モードでディスプレイ４１に動画像を表示したいときに、ユーザによって操作される。ここで、２画面モードは、上述したように、主チャンネルの画像と副チャンネルの画像とを合成して得られる画像を、ディスプレイ４１に表示させるモードである。
【００６０】
インデックスモードボタン３６は、例えば、ユーザがインデックスモードでディスプレイ４１に動画像を表示したいときに、ユーザによって操作される。ここで、インデックスモードは、画像重畳デバイス１７において生成される、縮小動画像と複数の静止画像とを合成した合成画像を、ディスプレイ４１に表示させるモードである。
【００６１】
ここで、操作部２３は、テレビジョン受像機１に設けられていても良いし、図示せぬリモートコントローラに設けられていても良い。
【００６２】
マイコン２４は、操作部２３から供給される各種の操作ボタンの操作信号に応じて、テレビジョン受像機１の各部を制御する。例えば、マイコン２４は、画面メモボタン３２が操作された旨の操作信号が操作部２３から供給された場合、画像重畳デバイス１７を制御して、ディスプレイ４１に表示される動画像をフリーズさせる。また、マイコン２４は、「フリーズ中」などのOSD表示のOSD信号を画像重畳デバイス２１に供給する。これにより、ディスプレイ４１では、静止画像にOSD表示が重畳された画像が表示される。なお、OSD表示としては、その他、図示せぬボリュームボタンやチャンネルボタンが操作されたときに、現在のボリュームやチャンネルの状態を表示するものなどがある。
【００６３】
また、例えば、ディスプレイ４１に静止画像が表示されている状態で、操作部２３から、決定ボタン３３が操作された旨の操作信号がマイコン２４に供給された場合、マイコン２４は、画像を記録（保存）する旨の信号を静止画像記録部２２に供給する。
【００６４】
以上のように構成されるテレビジョン受像機１では、テレビジョン受像機１に入力された画像信号から生成される動画像がディスプレイ４１に表示される。
【００６５】
また、テレビジョン受像機１では、ディスプレイ４１に表示されている動画像をフリーズさせた静止画像を記録媒体２２Aに記録（保存）することができる。静止画像の記録の利用例としては、例えば、料理番組の放送中に、放送で調理している料理のレシピが、ディスプレイ４１に表示されたタイミングにおいて、料理番組の動画像をフリーズさせ、静止画像として保存し、後でレシピを確認することができるようにしたり、好みのキャラクタが映っているアニメ番組の動画像をフリーズさせて、お気に入りのキャラクタの静止画像を記録するなどがある。
【００６６】
図２乃至図４は、ユーザが、ディスプレイ４１に表示されている動画像をフリーズさせた静止画像を、静止画像記録部２２の記録媒体２２Aに記録(保存)する操作を行ったときに、ディスプレイ４１に表示される画像の例を示している。
【００６７】
図２は、ディスプレイ４１に表示されている、あるときの動画像を示している。
【００６８】
ディスプレイ４１には、図２に示すように、ある景色の動画像が表示されており、ユーザは、図２に示す動画像がディスプレイ４１に表示されているタイミングで、操作部２３の画面メモボタン３２を押下する。操作部２３の画面メモボタン３２が押下されると、ディスプレイ４１では、図３に示す画像が表示される。
【００６９】
即ち、図３では、図２で示した景色の動画像がフリーズされた静止画像が表示されている（以下、図２の景色の動画像がフリーズされた静止画像を、適宜、景色画像という）。さらに、図３の画像では、右上に「フリーズ中」のダイアログ５１と、中央部に「この画像を保存しますか？」のダイアログ５２とが景色画像に重畳されている。なお、「この画像を保存しますか？」のダイアログ５２内には、景色画像の保存を実行するか否かをユーザに選択可能とさせる「はい」および「いいえ」の文字も表示されている。テレビジョン受像機１では、図３の画像がディスプレイ４１に表示されている状態で、ユーザが操作部２３の矢印ボタン３１によって「はい」または「いいえ」のいずれか一方を選択し、決定ボタン３３を押下することにより、景色画像の保存を実行するか否かを選択（決定）することができる。
【００７０】
ユーザが、ディスプレイ４１に表示されている景色画像を記録媒体２２Aに記録することにして、操作部２３の決定ボタン３３を押下すると、操作部２３から、決定ボタン３３の押下に対応する操作信号がマイコン２４に供給される。その操作信号を受信したマイコン２４は、画像を記録（保存）する旨の信号を静止画像記録部２２に供給する。
【００７１】
また、マイコン２４は、図３の「この画像を保存しますか？」のダイアログを、「画像を保存中です」のダイアログに変更するOSD信号を画像重畳デバイス２１に供給する。これにより、ディスプレイ４１では、図４に示す画像が表示される。
【００７２】
即ち、ディスプレイ４１では、図４に示すように、ディスプレイ４１の右上側に「フリーズ中」のダイアログ５１と、ディスプレイ４１の中央部に「画像を保存中です」のダイアログ６１が、景色画像に重畳されて、表示される。
【００７３】
なお、図４の画像がディスプレイ４１に表示されている間、即ち、景色画像の保存中の間は、「画像を保存中です」のダイアログ６１内にある「キャンセル」を選択することにより、静止画像の記録媒体２２Aへの保存をキャンセルすることができる。この「キャンセル」の選択は、図３で示した画像において、「いいえ」を選択する場合と同様に、ユーザが操作部２３の矢印ボタン３１によって「キャンセル」を選択し（フォーカス表示させ）、決定ボタン３３を押下することにより行うことができる。なお、キャンセルボタン３４を操作することにより「キャンセル」を選択することも可能である。
【００７４】
一方、マイコン２４から画像を記録する旨の信号が供給された静止画像記録部２２は、景色画像の記録媒体２２Aへの記録を開始する。
【００７５】
ここで、ディスプレイ４１に表示されている図４の画像は、画像重畳デバイス２１において、画像重畳デバイス１７から供給される画像（図２の景色画像）に、「フリーズ中」のダイアログ５１と「画像を保存中です」のダイアログ６１とが重畳された画像であるが、図１を参照して説明したように、静止画像記録部２２には、画像重畳デバイス１７から画像（の信号）が供給されるので、記録媒体２２Aに記録される画像には、ディスプレイ４１に表示されているOSD表示は含まれない。従って、テレビジョン受像機１では、静止画像を保存中に、OSD表示をディスプレイ４１に表示させたとしても、静止画像記録部２２の記録媒体２２Aには、保存したい画像のみ（OSD表示のない静止画像）を保存することができる。
【００７６】
また、画像重畳デバイス１７から静止画像記録部２２に供給される画像は、画像加工デバイス１５および１６、または画像加工デバイス１９および２０によって、画質が改善された画像である。
【００７７】
以上のようにして、ユーザは、ディスプレイ４１に表示されている動画像を、所望の画像が表示されている任意のタイミングでフリーズさせ、そのフリーズされた静止画像を確認して（見て）から、静止画像記録部２２内の記録媒体２２Aに保存するかどうかを決定し、保存することができる。
【００７８】
なお、後述する２画面モードおよびインデックスモードと対比して、図２乃至図４のようにディスプレイ４１全体に主チャンネルの動画像を表示させ、静止画像を保存するモードを、標準モードという。
【００７９】
次に、図５のフローチャートを参照して、図２乃至図４を参照して説明したように、ディスプレイ４１に表示されている動画像をフリーズさせた静止画像を静止画像記録部２２の記録媒体２２Aに記録する画像記録処理について説明する。
【００８０】
ディスプレイ４１において、主チャンネルの動画像が表示されている場合に、あるタイミングで、それを見ているユーザが記録（保存）を所望する動画像がディスプレイ４１に表示されたとする。このとき、ユーザは、操作部２３の画面メモボタン３２を操作する。これにより、画面メモボタン３２が操作された旨の操作信号が操作部２３からマイコン２４に供給され、図５の画像記録処理が開始される。
【００８１】
初めに、ステップＳ１において、マイコン２４は、画像重畳デバイス１７を制御して、ディスプレイ４１に表示されている動画像をフリーズさせて、ステップＳ２に進む。即ち、画像重畳デバイス１７は、画質を改善する画像処理が施されて画像加工デバイス１６から出力されてきた画像のVRAM１８への書き込みを中断し、VRAM１８から読み出した同一の画像がディスプレイ４１に繰り返し供給されるようにする。これによりディスプレイ４１では、VRAM１８から読み出された画像が静止画像として表示される。
【００８２】
ステップＳ２において、マイコン２４は、「フリーズ中」および「この画像を保存しますか？」のダイアログ５１および５２のOSD信号を画像重畳デバイス２１に供給することにより、図３に示したように、「フリーズ中」および「この画像を保存しますか？」のダイアログ５１および５２を静止画像に重畳させた画像をディスプレイ４１に表示させて、ステップＳ３に進む。
【００８３】
ステップＳ３において、マイコン２４は、いまディスプレイ４１に表示されている静止画像の保存がユーザにより選択されたか否かを判定する。ステップＳ３で、静止画像の保存が選択されなかったと判定された場合、即ち、「この画像を保存しますか？」のダイアログ５２の「いいえ」がユーザにより選択された旨の操作信号が操作部２３からマイコン２４に供給された場合、ステップＳ４乃至Ｓ７をスキップし、ステップＳ８に進む。
【００８４】
一方、ステップＳ３で、静止画像の保存が選択されたと判定された場合、即ち、「この画像を保存しますか？」のダイアログ５２の「はい」がユーザにより選択された旨の操作信号が操作部２３からマイコン２４に供給された場合、ステップＳ４に進み、マイコン２４は、静止画像を記録する旨の信号を静止画像記録部２２に供給し、静止画像記録部２２は、画像重畳デバイス１７から供給されている静止画像の保存を開始して、ステップＳ５に進む。
【００８５】
ステップＳ５において、マイコン２４は、「フリーズ中」および「画像を保存中です」のダイアログ５１および６１のOSD信号を画像重畳デバイス２１に供給することにより、図４に示したように、「フリーズ中」および「画像を保存中です」のダイアログ５１および６１を静止画像に重畳させた画像をディスプレイ４１に表示させて、ステップＳ６に進む。
【００８６】
ステップＳ６において、マイコン２４は、静止画像の記録媒体２２Ａへの記録(保存)を中止する「キャンセル」操作が行われたか否かを判定する。ステップＳ６で、「キャンセル」操作が行われたと判定された場合、即ち、図４に示した「画像を保存中です」のダイアログ６１表示中に、キャンセルボタン３４がユーザに押下された旨の操作信号が操作部２３から供給された場合、ステップＳ７をスキップして、ステップＳ８に進む。これにより、静止画像記録部２２が行っている静止画像の記録媒体２２Ａへの記録が中断される。
【００８７】
一方、ステップＳ６で、「キャンセル」操作が行われていないと判定された場合、静止画像の記録媒体２２Ａへの記録(保存)が継続され、記録終了後、ステップＳ７において、マイコン２４は、「保存が終了しました」のダイアログのOSD信号を画像重畳デバイス２１に供給することにより、静止画像の記録媒体２２Ａへの記録が終了したことをユーザに報知する、「保存が終了しました」のダイアログを静止画像に重畳させた画像をディスプレイ４１に表示させて、ステップＳ８に進む。
【００８８】
ステップＳ８では、マイコン２４は、画面メモボタン３２が押下されたか否かを判定する。ステップＳ８において、画面メモボタン３２が押下されたと判定されるまで待機され、画面メモボタン３２が押下されたと判定された場合、ステップＳ９に進み、マイコン２４は、画像重畳デバイス１７に動画像のフリーズを解除させて、処理を終了する。従って、ディスプレイ４１には、主チャンネルの動画像が表示される。
【００８９】
なお、図５では、記録媒体２２Ａへの静止画像の記録を終了し、画面メモボタン３２の操作が行われた後に、フリーズを解除するようにしたが、その他、例えば、上述したステップＳ７とＳ８の処理を省略し、静止画像の記録媒体２２Ａへの記録が終了した時点で、自動的に、動画像のフリーズが解除されるようにしてもよい。
【００９０】
以上のように、図５の画像記録処理によれば、ディスプレイ４１に表示されている、ユーザの所望の動画像をフリーズさせ、そのフリーズされた静止画像を記録媒体２２Ａに記録させることができる。
【００９１】
なお、記録媒体２２Ａに記録される静止画像は、ディスプレイ４１に表示させるために画像重畳デバイス１７から画像重畳デバイス２１に供給される画像と同一の画像であるので、記録媒体２２Ａに記録される静止画像の解像度（フォーマット）は、ディスプレイ４１でユーザが視認する解像度と同一となる。
【００９２】
また、画像重畳デバイス１７から出力される画像（の信号）を、ディスプレイ４１への表示用と静止画像記録部２２での記録用とに分岐させた後の、ディスプレイ４１へ供給する画像に対して、「この画像を保存しますか？」のダイアログ５２等のOSD表示を重畳させるため、ディスプレイ４１においてOSD表示が重畳された静止画像をユーザに提示し、かつ、OSD表示のない静止画像を記録媒体２２Aに記録することができる。
【００９３】
図６は、操作部２３の２画面モードボタン３５が押下されることにより、２画面モードが選択されている場合の、上述した標準モードの画像保存中の画像（図４）に対応する、２画面モード時の画像保存中の画像を示している。
【００９４】
２画面モードでは、画像重畳デバイス１７において、図６に示すように、主チャンネルの画像の一部分（図６の例では、左下）に、副チャンネルの画像７１が合成される。そして、画像重畳デバイス２１において、画像重畳デバイス１７から供給される、主チャンネルの画像と副チャンネルの画像とが合成された画像に、「フリーズ中」のダイアログ５１と、「画像を保存中です」のダイアログ６１とが重畳される。なお、主チャンネルの画像のどの位置に、副チャンネルの画像を配置（合成）するかは、例えば、操作部２３において、予め設定された複数の配置パターンのなかから任意の配置パターンを選択することにより決定することができる。
【００９５】
また、２画面モードでは、静止画像記録部２２には、主チャンネルの画像と副チャンネルの画像とが合成された画像が、そのまま、画像重畳デバイス１７から供給される。従って、テレビジョン受像機１では、２画面モードの場合においても、合成されることにより得られる画像を保存中に、「画像を保存中です」のダイアログ６１等のOSD表示をディスプレイ４１に表示させるようにしたとしても、静止画像記録部２２の記録媒体２２Aには、OSD表示のない合成画像が保存される。
【００９６】
次に、インデックスモードにおいて、ディスプレイ４１に表示される画像について説明する。
【００９７】
インデックスモードは、画像加工デバイス１６または２０から供給される画像を縮小してフリーズさせた複数の静止画像を含む合成画像を、ディスプレイ４１に表示させるモードである。従って、標準モードや２画面モードでは、ディスプレイ４１全体に表示されている１枚の静止画像について、保存するか否かをユーザが選択したが、インデックスモードでは、ディスプレイ４１に表示される複数の静止画像の中から、保存する静止画像をユーザが選択することができる。また、このインデックスモードには、モノチャンネルインデックスモードと、マルチチャンネルインデックスモードの２種類のモードがある。
【００９８】
モノチャンネルインデックスモードでは、ディスプレイ４１に表示される複数の静止画像は、同一チャンネル（１つのチャンネル）の動画像を縮小させて時系列にフリーズさせた画像であり、マルチチャンネルインデックスモードでは、ディスプレイ４１に表示される複数の静止画像は、異なるチャンネルの動画像を縮小させてフリーズさせた画像である。
【００９９】
マイコン２４は、例えば、操作部２３において、インデックスモードボタン３６が押下（オン）され、かつ２画面モードがオンのときには、マルチチャンネルインデックスモードとして動作し、インデックスモードボタン３６が押下（オン）され、かつ２画面モードがオフのときには、モノチャンネルインデックスモードとして動作するように各部を制御する。また、モノチャンネルインデックスモード用とマルチチャンネルインデックスモード用のボタンそれぞれを操作部２３に設けるようにしてもよい。
【０１００】
図７と図８は、モノチャンネルインデックスモードにおいてディスプレイ４１に表示される画像の例を示している。
【０１０１】
モノチャンネルインデックスモードにおいて、画像重畳デバイス１７から画像重畳デバイス２１に供給される合成画像は、図７に示すように、ディスプレイ４１の表示領域と同一の領域を有し、所定のサイズに縮小された動画像または静止画像を表示するエリアP1乃至P6と、メッセージを表示するメッセージ領域Mとで構成される。そして、画像重畳デバイス２１において、メッセージ領域Mに、マイコン２４から供給されたOSD信号に対応するOSD表示が重畳されて、ディスプレイ４１に表示される。
【０１０２】
また、合成画像のエリアP1乃至P5には、画像重畳デバイス１７において縮小された動画像を所定のタイミングでフリーズさせた静止画像が表示される。また、合成画像のエリアP6には、画像加工デバイス１６から画像重畳デバイス１７に供給される主チャンネルの縮小動画像が表示される。
【０１０３】
さらに詳しく言えば、画像加工デバイス１６から画像重畳デバイス１７に供給されて、合成画像のエリアP6に表示されている主チャンネルの縮小動画像の、所定のタイミングにおける画像（静止画像）が、エリアP1，P2，P3，P4，P5の順に表示されている。そして、エリアP5に静止画像が表示された後の次の静止画像は、再度エリアP1に表示される。即ち、静止画像が、エリアP1，P2，P3，P4，P5，P1，P2・・・の順に表示され、図７に示すように、いわゆるコマ送りのような静止画像が、エリアP1乃至P5に表示される。
【０１０４】
ここで、エリアP6に表示される主チャンネルの縮小動画像から、静止画像がエリアPj（ｊ＝１乃至５のうちのいずれか）に表示されるタイミングとしては、例えば、自動的に（ボタン操作などを必要とせずに）、予めマイコン２４に設定された所定のTw時間が経過したタイミングで表示する場合と、ユーザが、エリアP6に表示される主チャンネルの縮小動画像を見て、所望の（お気に入りの）画像となったタイミングで決定ボタン３３を押下し、その押下されたタイミングで表示する場合とがある。なお、静止画像がエリアPjに表示される２つのタイミングは、テレビジョン受像機１を製造する時点で、いずれか一方に設定するようにしてもよいし、ユーザの操作により、いずれか一方のタイミングを選択可能としてもよい。
【０１０５】
なお、ユーザは、エリアP6に表示されている縮小動画像のチャンネルを自由に切り替えることができる。従って、モノチャンネルインデックスモードにおいて、エリアP6に表示される縮小動画像のチャンネルを様々なチャンネルに変えた場合、エリアPjには、異なる複数チャンネルの静止画像を表示させることも可能となる。
【０１０６】
また、図７の画像では、メッセージ領域Mに、エリアP1乃至P5に表示されている静止画像のなかから、どの静止画像を記録媒体２２Aに記録（保存）するかを尋ねる「どの画像を保存しますか？（「決定」ボタンで保存実行）」のメッセージが表示されている。このメッセージは、マイコン２４が、「どの画像を保存しますか？（「決定」ボタンで保存実行）」のOSD表示に対応するOSD信号を画像重畳デバイス２１に供給し、画像重畳デバイス２１において、画像重畳デバイス１７から供給される合成画像と重畳されることにより、ディスプレイ４１に表示されている。
【０１０７】
さらに、図７の画像では、エリアP1の周辺（縁）に斜線を付して示されるカーソルCurが表示されている。このカーソルCurは、静止画像の選択を表し、図７に示すように、エリアP1の周辺（縁）にカーソルCurが表示されている場合には、エリアP1に表示されている静止画像が現在選択されていることを表している。このカーソルCurのOSD表示も、「どの画像を保存しますか？（「決定」ボタンで保存実行）」のOSD表示と同様に、マイコン２４がOSD信号として画像重畳デバイス２１に供給し、合成画像と重畳されることにより、ディスプレイ４１に表示されている。なお、ユーザは、操作部２３の上、下、右、および左の４方向の矢印ボタン３１を操作することにより、カーソルCurをエリアP1乃至P5の間で移動させることができる。
【０１０８】
ユーザが操作部２３の矢印ボタン３１を操作することにより、例えば、図８に示すように、エリアP5にカーソルCurが表示されている状態、即ち、エリアP5の静止画像が選択されている状態とし、さらに、ユーザが操作部２３の決定ボタン３３を押下した場合、マイコン２４から、画像を記録する旨の信号と、エリアP5の位置情報とが、静止画像記録部２２に供給され、エリアP5の静止画像が記録媒体２２Aに記録される。ここで、エリアP5の位置情報としては、例えば、画像重畳デバイス１７から供給される合成画像のある位置（例えば、左下隅）を原点としたときの、矩形で表されるエリアP5の対角の座標や、エリアP5の中心座標と矩形の縦×横のサイズなどを採用することができる。
【０１０９】
次に、図９のフローチャートを参照して、モノチャンネルインデックスモードにおける、テレビジョン受像機１の画像記録処理について説明する。ここで、図９の画像記録処理は、所定のTw時間が経過したタイミングで、エリアP1乃至P5の順に静止画像が表示される場合の画像記録処理である。
【０１１０】
ユーザにより、インデックスモードボタン３６が押下（オン）されると、ステップＳ３１において、マイコン２４は、画像重畳デバイス１７および２１を制御することにより、図７に示したように、縮小動画像をエリアP6に表示させた合成画像をディスプレイ４１に表示させて、ステップＳ３２に進む。
【０１１１】
ステップＳ３２において、マイコン２４は、カーソルCurの表示に対応するOSD信号を画像重畳デバイス２１に供給することにより、初期表示として、合成画像のエリアP1にカーソルCurを表示させて、ステップＳ３３に進む。
【０１１２】
ステップＳ３３において、マイコン２４は、静止画像を表示させるエリアPnを決定するための内部変数ｎに１をセットして（ｎ＝１として）、ステップＳ３４に進む。
【０１１３】
ステップＳ３４において、マイコン２４は、その内部に設定されたTw時間のカウントを開始して、ステップＳ３５に進む。
【０１１４】
そして、ステップＳ３４のカウント開始からTw時間経過後、ステップＳ３５において、マイコン２４は、いまエリアP6に表示されている主チャンネルの縮小動画像をフリーズさせた静止画像をエリアPnに表示させて、ステップＳ３６に進む。ここで、エリアP6に表示されている主チャンネルの縮小動画像は、エリアP6のサイズに縮小された縮小画像が３０枚／秒のフレームレートで更新されることにより構成されるので、マイコン２４は、ステップＳ３４のカウント開始からTw時間経過したタイミングにおいて、エリアP6に表示されている縮小画像をエリアPnに表示させることになる。
【０１１５】
ステップＳ３６において、マイコン２４は、ユーザの割り込み操作があったか否かを判定する。ここで、ユーザの割り込み操作とは、エリアP1乃至P5のなかから保存を所望する静止画像が表示されているエリアPjを選択するためにカーソルCurを移動させる、矢印ボタン３１の押下、いまカーソルCurが表示されているエリアPjの静止画像の保存を実行させる、決定ボタン３３の押下、または、モノチャンネルインデックスモードを終了させる、インデックスモードボタン３６の押下のいずれかの操作を意味する。
【０１１６】
ステップＳ３６で、ユーザの割り込み操作があったと判定された場合、即ち、矢印ボタン３１の押下、決定ボタン３３の押下、または、インデックスモードボタン３６の押下のいずれかの操作があった場合、ステップＳ４１に進み、マイコン２４において、その割り込み操作が、矢印ボタン３１の押下、決定ボタン３３の押下、または、インデックスモードボタン３６の押下のいずれであったかどうかが判定される。
【０１１７】
ステップＳ４１において、ユーザの割り込み操作が矢印ボタン３１の押下であると判定された場合、ステップＳ４２に進み、マイコン２４は、上、下、右、および左の４方向のうちの、矢印ボタン３１の操作に対応する方向にカーソルCurを移動させて、ステップＳ３７に戻る。
【０１１８】
また、ステップＳ４１において、ユーザの割り込み操作が決定ボタン３３の押下であると判定された場合、ステップＳ４３に進み、マイコン２４は、いまカーソルCurが表示されているエリアPjの静止画像の保存を静止画像記録部２２に実行させる。即ち、マイコン２４は、画像を記録する旨の信号とともに、いまカーソルCurが表示されているエリアPjの位置情報を静止画像記録部２２に供給する。静止画像記録部２２は、マイコン２４から供給される位置情報により、画像重畳デバイス１７から供給される合成画像のエリアPjを特定し、そこの画像を記録媒体２２Aに記録（保存）する。そして、ステップＳ３７に戻る。これにより、ユーザがカーソルCurで選択したエリアPjの静止画像が記録媒体２２Aに記録される。
【０１１９】
ステップＳ４１において、ユーザの割り込み操作がインデックスモードボタン３６の押下であると判定された場合、処理が終了される。
【０１２０】
一方、ステップＳ３６において、ユーザの割り込み操作がなかったと判定された場合、即ち、矢印ボタン３１の押下、決定ボタン３３の押下、および、インデックスモードボタン３６の押下のいずれの操作もなかった場合、ステップＳ３７に進み、マイコン２４は、内部変数ｎを１だけインクリメントして（ｎ＝ｎ＋１として）、ステップＳ３８に進む。
【０１２１】
ステップＳ３８において、マイコン２４は、内部変数ｎが５より大きいか否かを判定する。ステップＳ３８で、内部変数ｎが５以下であると判定された場合、ステップＳ３４に戻り、上述したステップＳ３４乃至Ｓ３８の処理が繰り返される。
【０１２２】
一方、ステップＳ３８で、内部変数ｎが５より大きいと判定された場合、ステップＳ３３に戻り、上述したステップＳ３３乃至Ｓ３８の処理が繰り返される。
【０１２３】
以上のように、図９の画像記録処理によれば、エリアＰ6（合成画像の一部の領域）に表示されている縮小動画像がTw時間経過ごとにフリーズされ、そのフリーズにより得られる静止画像が、合成画像のエリアP1乃至P5（合成画像の他の一部の領域）に順次表示される。そして、ユーザは、エリアP1乃至P5に表示されている静止画像のなかから、カーソルCurを移動することによって所望のエリアPjを選択し、決定ボタン３３を押下する。静止画像記録部２２は、選択されたエリアPjに表示されている静止画像を記録媒体２２Aに記録する。これにより、ユーザは、エリアP1乃至P5に表示されている静止画像のなかから、所望の静止画像を記録媒体２２Aに記録（保存）することができる。
【０１２４】
なお、図９において、ステップＳ３６で示される、ユーザの割り込み操作があったか否かの判定は、上述のステップＳ３３乃至Ｓ３８の処理の間の何処で行うようにしてもよいし、Ｓ３３乃至Ｓ３８の処理の間、継続的にユーザの割り込み操作があったか否かを判定するようにしてもよい。
【０１２５】
次に、図１０のフローチャートを参照して、モノチャンネルインデックスモードにおける、テレビジョン受像機１の他の画像記録処理について説明する。ここで、図１０の画像記録処理は、ユーザが決定ボタン３３を押下したタイミングで、エリアP1乃至P5の順に静止画像が表示される場合の画像記録処理である。
【０１２６】
ユーザにより、インデックスモードボタン３６が押下（オン）されると、ステップＳ６１において、マイコン２４は、画像重畳デバイス１７および２１を制御することにより、図７に示したように、縮小動画像をエリアP6に表示させた合成画像をディスプレイ４１に表示させて、ステップＳ６２に進む。
【０１２７】
ステップＳ６２において、マイコン２４は、カーソルCurの表示に対応するOSD信号を画像重畳デバイス２１に供給することにより、初期表示として、合成画像のエリアP1にカーソルCurを表示させて、ステップＳ６３に進む。
【０１２８】
ステップＳ６３において、マイコン２４は、静止画像を表示させるエリアPnを決定するための内部変数ｎに１をセットして（ｎ＝１として）、ステップＳ６４に進む。
【０１２９】
ステップＳ６４では、マイコン２４は、ユーザのボタン操作があったか否かを判定し、ユーザのボタン操作があったと判定されるまで、ステップＳ６４の処理が繰り返される。なお、ステップＳ６４で判定されるボタン操作は、エリアP1乃至P5のなかから保存を所望する静止画像が表示されているエリアPjを選択するためにカーソルCurを移動させる、矢印ボタン３１の押下、いまエリアP6に表示されている主チャンネルの縮小動画像をフリーズさせた静止画像をエリアＰnに表示させる、画面メモボタン３２の押下、いまカーソルCurが表示されているエリアPjの静止画像の保存を実行させる、決定ボタン３３の押下、および、モノチャンネルインデックスモードを終了させるインデックスモードボタン３６の押下である。
【０１３０】
ステップＳ６４で、ユーザのボタン操作があったと判定された場合、即ち、矢印ボタン３１の押下、画面メモボタン３２の押下、決定ボタン３３の押下、または、インデックスモードボタン３６の押下のいずれかの操作があった場合、ステップＳ６５に進み、マイコン２４は、操作されたボタンが、矢印ボタン３１、画面メモボタン３２、決定ボタン３３、または、インデックスモードボタン３６のいずれであるかを判定する。
【０１３１】
ステップＳ６５において、操作されたボタンが、矢印ボタン３１であると判定された場合、ステップＳ６７に進み、マイコン２４は、上、下、右、および左の４方向のうちの、矢印ボタン３１の操作に対応する方向にカーソルCurを移動させて、ステップＳ６４に戻る。
【０１３２】
また、ステップＳ６５において、操作されたボタンが、画面メモボタン３２であると判定された場合、ステップＳ６８に進み、マイコン２４は、いまエリアP6に表示されている主チャンネルの縮小動画像をフリーズさせた静止画像をエリアPnに表示させて、ステップＳ６９に進む。ここで、エリアP6に表示されている主チャンネルの縮小動画像は、エリアP6のサイズに縮小された縮小画像が３０枚／秒のフレームレートで更新されることにより構成されるので、マイコン２４は、画面メモボタン３２が押下されたタイミングにおいて、エリアP6に表示されている縮小画像をエリアPnに表示させることになる。
【０１３３】
ステップＳ６９において、マイコン２４は、内部変数ｎを１だけインクリメントして（ｎ＝ｎ＋１として）、ステップＳ７０に進む。
【０１３４】
ステップＳ７０において、マイコン２４は、内部変数ｎが５より大きいか否かを判定する。ステップＳ７０で、内部変数ｎが５以下であると判定された場合、ステップＳ７１をスキップして、ステップＳ６４に戻る。
【０１３５】
一方、ステップＳ７０で、内部変数ｎが５より大きいと判定された場合、ステップＳ７１に進み、マイコン２４は、内部変数ｎに１をセットして、ステップＳ６４に戻る。
【０１３６】
また、ステップＳ６５において、操作されたボタンが、決定ボタン３３であると判定された場合、ステップＳ７２に進み、マイコン２４は、いまカーソルCurが表示されているエリアPjの静止画像の保存を静止画像記録部２２に実行させる。即ち、マイコン２４は、画像を記録する旨の信号とともに、いまカーソルCurが表示されているエリアPjの位置情報を静止画像記録部２２に供給する。静止画像記録部２２は、マイコン２４から供給される位置情報により、画像重畳デバイス１７から供給される合成画像のエリアPjを特定し、そこの画像を記録媒体２２Aに記録（保存）する。そして、ステップＳ６４に戻る。これにより、ユーザがカーソルCurで選択したエリアPjの静止画像が記録媒体２２Aに記録される。
【０１３７】
一方、ステップＳ６５において、操作されたボタンが、インデックスモードボタン３６であると判定された場合、処理が終了される。
【０１３８】
以上のように、図１０の画像記録処理によれば、画面メモボタン３２が操作されたときにエリアＰ6に表示されている縮小動画像がフリーズされ、静止画像としてエリアＰnに表示される。そして、ユーザは、エリアP1乃至P5に表示されている静止画像のなかから、カーソルCurを移動することによって所望のエリアPjを選択し、決定ボタン３３を押下する。静止画像記録部２２は、選択（決定）されたエリアPjに表示されている静止画像を記録媒体２２Aに記録する。これにより、ユーザは、エリアP1乃至P5に表示されている静止画像のなかから、所望の静止画像を記録媒体２２Aに記録（保存）することができる。
【０１３９】
次に、図１１は、マルチチャンネルインデックスモードにおいてディスプレイ４１に表示される画像の例を示している。
【０１４０】
マルチチャンネルインデックスモードにおいて、画像重畳デバイス１７から画像重畳デバイス２１に供給される合成画像は、図７のモノチャンネルインデックスモードでの合成画像と同様に、ディスプレイ４１の表示領域と同一の領域を有し、縮小動画像または静止画像を表示するエリアP1乃至P6と、メッセージを表示するメッセージ領域Mとで構成される。
【０１４１】
合成画像のエリアP6には、図７のモノチャンネルインデックスモードと同様に、画像重畳デバイス１７に供給されている主チャンネルの縮小動画像が表示される。一方、合成画像のエリアP1乃至P5には、副チャンネルの縮小動画像を所定のタイミングでフリーズさせた静止画像が表示される。また、副チャンネルは、エリアPjに静止画像が表示された後に、現在選択中のチャンネルと異なるチャンネルに切り替えられる。従って、エリアP1乃至P5のそれぞれに表示される静止画像は、異なるチャンネルの静止画像となる。ここで、所定のタイミングとは、例えば、上述のTw時間の経過などである。
【０１４２】
即ち、図１１では、チューナ１３において、主チャンネルを除くチューナ１３が受信可能なチャンネルが順次選択され、Tw時間経過ごとに、エリアP1，P2，P3，P4，P5，P1，P2・・・の順に表示されている。そして、全てのチャンネルが１回ずつエリアPjに表示された後は、２回目、３回目、・・・と各チャンネルの静止画像のエリアPjへの表示が繰り返される。
【０１４３】
従って、マルチチャンネルインデックスモードでは、図１１に示すように、エリアP1乃至P5に表示されている静止画像と、エリアP6に表示されている動画像は、すべて異なるチャンネルの画像となっている。そして、図８を参照して説明したモノチャンネルインデックスモードにおける所望の静止画像の選択と同様に、ユーザは、カーソルCurの表示を、矢印ボタン３１を操作することにより所望のエリアPjに移動させ、決定ボタン３３を押下することにより、エリアP1乃至P5に表示されている静止画像の中から、所望の静止画像を記録媒体２２Aに記録（保存）させることができる。
【０１４４】
以上のように、マルチチャンネルインデックスモードでは、時分割で複数チャンネルを受信して、その静止画像をディスプレイ４１に一度に表示させ、その中から、所望の静止画像を保存することができる。
【０１４５】
なお、お好みチャンネルなどと称して、ユーザのお気に入りのチャンネルを登録するようにしておいて、その登録されたチャンネル（お好みチャンネル）の静止画像が、Tw時間経過ごとにエリアP1，P2，P3，P4，P5，P1，P2・・・の順に表示されるようにしてもよい。
【０１４６】
また、マルチチャンネルインデックスモードでは、エリアP1乃至P5に表示させる静止画像を、副チャンネルを受信しているチューナ１３においてチャンネルを切り替えた画像ではなくて、主チャンネルを受信しているチューナ１２以外の、入力選択デバイス１４に入力されている複数の信号（の選択）の画像を切り替えて、表示させるようにしてもよい。例えば、図１のテレビジョン受像機１では、入力端子１１に入力されている画像信号、チューナ１３が受信している画像信号を、例えば、Tw時間ごとに切り替えてエリアP1乃至P5に順次表示させてもよい。この場合、ユーザは、エリアP1乃至P5に表示される静止画像を見て、どの入力信号を選択するかの参考とすることができる。
【０１４７】
なお、図１１のメッセージ領域Mには、図７に示した場合と同様に、エリアPjに表示されている静止画像のなかから、記録媒体２２Aに記録（保存）する静止画像がどれであるかを尋ねる「どの画像を保存しますか？（「決定」ボタンで保存実行）」のメッセージがOSD表示されている。また、図１１では、カーソルCurは、エリアP4にOSD表示されている。
【０１４８】
次に、図１２のフローチャートを参照して、マルチチャンネルインデックスモードにおける、テレビジョン受像機１の画像記録処理について説明する。
【０１４９】
ユーザにより、インデックスモードボタン３６が押下（オン）されると、ステップＳ１０１において、マイコン２４は、画像重畳デバイス１７および２１を制御することにより、図１１に示したように、主チャンネルの縮小動画像をエリアP6に表示させた合成画像をディスプレイ４１に表示させて、ステップＳ１０２に進む。
【０１５０】
ステップＳ１０２において、マイコン２４は、カーソルCurの表示に対応するOSD信号を画像重畳デバイス２１に供給することにより、初期表示として、合成画像のエリアP1にカーソルCurを表示させて、ステップＳ１０３に進む。
【０１５１】
ステップＳ１０３において、マイコン２４は、静止画像を表示させるエリアPnを決定するための内部変数ｎに１をセットして（ｎ＝１として）、ステップＳ１０４に進む。
【０１５２】
ステップＳ１０４において、マイコン２４は、その内部に設定されたTw時間のカウントを開始して、ステップＳ１０５に進む。
【０１５３】
そして、ステップＳ１０４のカウント開始からTw時間経過後、ステップＳ１０５において、マイコン２４は、画像加工デバイス２０から供給されている副チャンネルの縮小動画像をフリーズさせた静止画像をエリアPnに表示させて、ステップＳ１０６に進む。ここで、副チャンネルの縮小動画像も、主チャンネルの縮小動画像と同様に、縮小された縮小画像が３０枚／秒のフレームレートで更新されることにより構成されるので、マイコン２４は、ステップＳ１０４のカウント開始からTw時間経過したタイミングにおいて、副チャンネルの縮小動画像をフリーズさせ、そのフリーズにより得られる静止画像をエリアPnに表示させることになる。
【０１５４】
ステップＳ１０６において、マイコン２４は、チューナ１３に、受信するチャンネル（副チャンネル）を切り替えさせて、ステップＳ１０７に進む。
【０１５５】
ステップＳ１０７乃至Ｓ１０９、およびＳ１１１乃至Ｓ１１３の処理は、それぞれ、上述した図９のステップＳ３６乃至Ｓ３８、およびＳ４１乃至Ｓ４３の処理と同様であるので、その説明を省略する。
【０１５６】
以上のように、図１２の画像記録処理によれば、副チャンネルの縮小動画像がTw時間経過ごとにフリーズされ、そのフリーズにより得られる静止画像が、合成画像のエリアP1乃至P5に順次表示される。そして、副チャンネルの静止画像がエリアＰjに表示された後、副チャンネルが切り替えられる。そして、ユーザは、エリアP1乃至P5に表示されている静止画像のなかから、カーソルCurを移動することによって所望のエリアPjを選択し、決定ボタン３３を押下する。静止画像記録部２２は、選択されたエリアPjの静止画像を記録媒体２２Aに記録する。これにより、ユーザは、エリアP1乃至P5に表示されている静止画像のなかから、所望の静止画像を記録媒体２２Aに記録（保存）することができる。
【０１５７】
図１３は、本発明を適用したテレビジョン受像機のその他の実施の形態の構成例を示している。
【０１５８】
図１３において、図１と対応する部分については同一の符号を付してあり、その説明を適宜省略する。
【０１５９】
即ち、図１３のテレビジョン受像機１は、RAM(Random Access Memory )８１が設けられている他は、図１のテレビジョン受像機１と同様に構成されている。
【０１６０】
画像加工デバイス１６または２０は、画質を改善する所定の画像処理を施し、ディスプレイ４１に表示する表示用の表示画像として画像重畳デバイス１７に供給する。
【０１６１】
画像重畳デバイス１７は、図１のテレビジョン受像機１における場合と同様に、マイコン２４の制御の下、VRAM１８への書き込み、またはVRAM１８からの読み出しを行うことにより、標準モード、２画面モード、およびインデックスモードの各モードに応じた画像を、画像重畳デバイス２１に供給する。
【０１６２】
また、画像重畳デバイス１７は、インデックスモードにおいて、合成画像のエリアP6に表示されている縮小動画像であってエリアPjに表示される静止画像の、エリアP6のサイズに縮小される前の画像、即ち、画像加工デバイス１６または２０から供給された直接の画像（標準モード時にディスプレイ４１に表示される画像）を、RAM８１に記憶させる。ここで、RAM８１は、エリアP1乃至P5の静止画像に対応する、少なくとも、ディスプレイ４１の５画面分の画像を記憶可能な領域を有している。
【０１６３】
さらに、ユーザの操作部２３の操作により、エリアP1乃至P5に表示されている静止画像のなかのエリアPjの静止画像が、記録媒体２２Aに記録する画像として選択された場合、画像重畳デバイス１７には、マイコン２４から位置情報が供給される。画像重畳デバイス１７は、その位置情報に基づいて、エリアPjの静止画像が縮小される前の、画像加工デバイス１６または２０から供給されたときの直接の画像を、RAM８１から読み出し、静止画像記録部２２に供給する。従って、マイコン２４は、静止画像の保存が選択されたエリアPjの位置情報を静止画像記録部２２ではなくて、画像重畳デバイス１７に供給する。
【０１６４】
静止画像記録部２２は、マイコン２４からの画像を記録する旨の信号に従い、画像重畳デバイス１７から供給される、エリアPjの静止画像が縮小される前の、画像加工デバイス１６または２０から供給されたときの直接の画像を、記録媒体２２Ａに記録する。
【０１６５】
以上のように構成される図１３のテレビジョン受像機１のインデックスモードでは、エリアＰ6に表示されている縮小動画像が所定のタイミングでフリーズされ、そのフリーズにより得られる静止画像が、合成画像のエリアP1乃至P5に順次表示される。また、エリアP1乃至P5に表示されている静止画像が、エリアP6のサイズに縮小される前の画像、即ち、画像加工デバイス１６または２０から供給されたときの直接の画像（標準モード時にディスプレイ４１に表示される画像）が、RAM８１にそれぞれ記憶される。ユーザは、合成画像のエリアP1乃至P5に表示されている静止画像のなかから、カーソルCurを移動することによって所望のエリアPjを選択し、決定ボタン３３を押下する。静止画像記録部２２は、選択（決定）されたエリアPjに表示されている静止画像に対応する直接の画像（選択された静止画像に対応する、画像加工デバイス１６または２０が出力する直接の表示画像）を記録媒体２２Aに記録する。
【０１６６】
従って、ユーザは、エリアP1乃至P5に表示されている静止画像のなかから、所望の静止画像を選択し、その選択した画像の、画像加工デバイス１６または２０から供給されたときの直接の画像、即ち、画質が改善された表示画像を記録媒体２２Aに記録（保存）することができる。
【０１６７】
上述した画像記録処理は、専用のハードウエアにより実行させることもできるし、ソフトウエアにより実行させることもできる。画像記録処理をソフトウエアによって行う場合、例えば、その画像記録処理は、図１４に示されるような（パーソナル）コンピュータにプログラムを実行させることにより実現することができる。
【０１６８】
図１４において、CPU（Central Processing Unit）１０１は、ROM（Read Only Memory）１０２に記憶されているプログラム、または記憶部１０８からRAM（Random Access Memory）１０３にロードされたプログラムに従って各種の処理を実行する。RAM１０３にはまた、CPU１０１が各種の処理を実行する上において必要なデータなども適宜記憶される。
【０１６９】
CPU１０１、ROM１０２、およびRAM１０３は、バス１０４を介して相互に接続されている。このバス１０４にはまた、入出力インタフェース１０５も接続されている。
【０１７０】
入出力インタフェース１０５には、キーボード、マウスなどよりなる入力部１０６、CRT(Cathode Ray Tube)、LCD(Liquid Crystal display)などよりなるディスプレイ、並びにスピーカなどよりなる出力部１０７、ハードディスクなどより構成される記憶部１０８、モデム、ターミナルアダプタなどより構成される通信部１０９、チューナ１１０および１１１が接続されている。通信部１０９は、インターネットなどのネットワークを介しての通信処理を行う。チューナ１１０および１１１は、図示せぬアンテナを介して受信した放送信号を検波、復調し、CPU１０１などに供給する。
【０１７１】
入出力インタフェース１０５にはまた、必要に応じてドライブ１１０が接続され、磁気ディスク３２１、光ディスク３２２、光磁気ディスク３２３、或いは半導体メモリ３２４などが適宜装着され、それらから読み出されたコンピュータプログラムが、必要に応じて記憶部３０８にインストールされる。
【０１７２】
上述した実施の形態では、本発明を、記録装置を備えたテレビジョン受像機に適用した場合を例に説明したが、本発明は、その他、セットトップボックスや、チューナや外部入力を備える記録装置などにも採用することができる。
【０１７３】
なお、本明細書において、フローチャートに記述されたステップは、記載された順序に沿って時系列的に行われる処理はもちろん、必ずしも時系列的に処理されなくとも、並列的あるいは個別に実行される処理をも含むものである。
【０１７４】
上述したインデックスモードでは、エリアP1乃至P6の６つのエリアに画像（縮小動画像および静止画像）を表示したが、ディスプレイ４１上に一度に表示する画像（エリア）の数は、６に限定されない。
【０１７５】
また、上述したインデックスモードでは、操作部２３の矢印ボタン３１により選択された、エリアP1乃至P5のなかのいずれか１つのエリアPjに表示されている画像を記録媒体２２Ａに記録するようにしたが、エリアP1乃至P5の全てのエリアに表示されている静止画像、または静止画像に対応する直接の画像を記録媒体２２Ａに記録するようにしてもよい。
【０１７６】
なお、データの２次利用が制限されている画像（信号）が画像重畳デバイス１７から静止画像記録部２２に供給された場合、静止画像記録部２２は、静止画像の記録媒体２２Ａへの記録を制限することができる。
【図面の簡単な説明】
【０１７７】
【図１】本発明を適用したテレビジョン受像機の一実施の形態を示す図である。
【図２】ディスプレイ４１に表示されている動画像を示す図である。
【図３】図２の動画像がフリーズされたときにディスプレイ４１に表示される画像を示す図である。
【図４】静止画像を保存中にディスプレイ４１に表示される画像を示す図である。
【図５】画像記録処理について説明するフローチャートである。
【図６】２画面モードについて説明する図である。
【図７】モノチャンネルインデックスモードの画像について説明する図である。
【図８】モノチャンネルインデックスモードの画像について説明する図である。
【図９】モノチャンネルインデックスモードにおける画像記録処理について説明するフローチャートである。
【図１０】モノチャンネルインデックスモードにおける画像記録処理について説明するフローチャートである。
【図１１】マルチチャンネルインデックスモードの画像について説明する図である。
【図１２】マルチチャンネルインデックスモードにおける画像記録処理について説明するフローチャートである。
【図１３】本発明を適用したテレビジョン受像機のその他の実施の形態を示す図である。
【図１４】本発明を適用したコンピュータの一実施の形態の構成例を示すブロック図である。
【符号の説明】
【０１７８】
１    テレビジョン受像機，  １５    画像加工デバイス，  １６    画像加工デバイス，  １７    画像重畳デバイス，  １８    VRAM，  １９    画像加工デバイス，  ２０    画像加工デバイス，  ２１    画像重畳デバイス，  ２２    静止画像記録部，  ２２A    記録媒体，  ２３    操作部，  ２４    マイコン，  ３１    矢印ボタン，  ３２    画面メモボタン，  ３３    決定ボタン，  ３４    キャンセルボタン，  ３５    ２画面モードボタン，  ３６    インデックスモードボタン，  ４１    ディスプレイ，  ８１    RAM
【図１】
2005351923.tif 000003
【図２】
2005351923.tif 000004
【図３】
2005351923.tif 000005
【図４】
2005351923.tif 000006
【図５】
2005351923.tif 000007
【図６】
2005351923.tif 000008
【図７】
2005351923.tif 000009
【図８】
2005351923.tif 000010
【図９】
2005351923.tif 000011
【図１０】
2005351923.tif 000012
【図１１】
2005351923.tif 000013
【図１２】
2005351923.tif 000014
【図１３】
2005351923.tif 000015
【図１４】
2005351923.tif 000016